(57)【要約】【課題】  スペースが限られた現場でも設置が可能な吊り金具と、当該吊り金具を利用した収容体設置構造を提供する。【解決手段】  本発明の吊り金具は、天井側から吊下げられる吊りボルトと、吊りボルトに連結されたベースと、収容体を保持する二以上の受け具を備え、それら二以上の受け具がつなぎ部材によって吊下げ方向に多段に連結され、連結された二以上の受け具が前記ベースに連結されて当該ベースの下側に吊下げられたものである。本発明の収容体設置構造は、天井側から吊下げられた複数の吊り金具と、当該複数の吊り金具の受け具に載せられる複数の収容体を備え、収容体が吊り金具に多段に配設され、それら多段に配設された収容体に電線等が収容されたものである。【選択図】図１
2019058008.tif 000002
【特許請求の範囲】
【請求項１】
収容体の吊下げに用いる吊り金具において、
天井側から吊下げられる吊りボルトと、当該吊りボルトに連結されたベースと、前記収容体を保持する二以上の受け具を備え、
前記二以上の受け具は吊下げ方向に多段となるように連結され、
前記連結された二以上の受け具は前記ベースに連結されて当該ベースよりも吊下げ方向下側に吊下げられた、
ことを特徴とする吊り金具。
【請求項２】
請求項１記載の吊り金具において、
ベースと受け具が連結具で連結され、
前記受け具とは別の受け具に係止用連結具が設けられ、
前記連結具と係止用連結具がつなぎ部材で連結された、
ことを特徴とする吊り金具。
【請求項３】
請求項２記載の吊り金具において、
つなぎ部材は、薄板状の基体と薄板状の回転体を備え、
前記基体と回転体は重ねられた状態で回転できるように連結ピンで連結され、
前記基体は連結具及び係止用連結具が収まる凹部を備え、
前記凹部は基体の外周縁に凹陥しており、
前記回転体は、前記凹部に収まった連結具及び係止用連結具の外側に位置して、当該凹部に収まった連結具及び係止用連結具の凹部から抜けを規制する規制部を備えた、
ことを特徴とする吊り金具。
【請求項４】
請求項１から請求項３のいずれか１項に記載の吊り金具を用いた収容体の設置構造において、
天井側から吊下げられた複数の吊り金具と、当該複数の吊り金具の受け具に設置される複数の収容体を備え、
前記複数の収容体は吊り金具の受け具に多段に配置され、
前記多段に配置された収容体に電線等が収容された、
ことを特徴とする収容体設置構造。
【請求項５】
請求項４記載の収容体設置構造において、
多段に配置された収容体のそれぞれに、他の段に収容される電線等とは異なる種類の電線等が収容された、
ことを特徴とする収容体設置構造。
【請求項６】
請求項４又は請求項５記載の収容体設置構造において、
複数の収容体の一部が上向きに配置され、他の一部が下向きに配置された、
ことを特徴とする収容体設置構造。
【発明の詳細な説明】
【技術分野】
【０００１】
本発明は、電線やケーブル、制御線等（以下、これらをまとめて「電線等」という）を収容する金属ダクトや金属線ぴ、ケーブルラック等（以下、これらをまとめて「収容体」という）を吊下げる吊り金具と、当該吊り金具を用いた収容体の設置構造（以下「収容体設置構造」という）に関するものである。
【背景技術】
【０００２】
建物に電線等を配設する際には収容体が使用される。収容体は、内部に電線等を収容できる樋状（断面視略コ字状）の部材である。収容体を天井側から吊下げる際には、吊り金具が使用される（例えば、特許文献１）。特許文献１の吊り金具は、吊りボルトと、当該吊りボルトに連結された下向きコ字状のベースと、当該ベースに連結された上向きコ字状の受け具を備えている。
【０００３】
吊り金具を用いて電線等を配設する場合、天井側から複数の吊り金具を間隔をあけて吊下げ、それら吊り金具に複数本の収容体を架設し、架設された収容体に電線等を収容することによって配線を行う。収容体には照明器具等を取り付けることもある。照明器具は、上向き（開口部が上を向く向き。以下同じ。）に設置した収容体の底面に取り付けるほか、下向き（開口部が下を向く向き。以下同じ。）に設置した収容体内に収容することがある。
【０００４】
ところで、経済産業省が示した「電気設備の技術基準の解釈」の第１８９条には、電線と弱電流電線を同一の収容体に施設しないことが定められており、電線等の配設に当たっては当該規定を順守する必要がある。このため、従来は、収容体をセパレータと呼ばれる隔壁で分割することで、電線等を種類ごとに振り分けて収容していた。
【先行技術文献】
【特許文献】
【０００５】
【特許文献１】特開平９−１８２２３９号公報
【発明の概要】
【発明が解決しようとする課題】
【０００６】
しかし、収容する電線等が多い場合や収容体の幅が狭い場合等、セパレータを収容体に取り付けるのが困難な場合がある。この問題は、幅の広い収容体を用いるとか、幅の狭い収容体を増設することで解消することができるが、広いスペースを確保できない現場では、上記問題を解決することはできない。
【０００７】
本発明の解決課題は、スペースが限られた現場でも設置することができる吊り金具と、当該吊り金具を利用した収容体設置構造を提供することにある。
【課題を解決するための手段】
【０００８】
［吊り金具］
本発明の吊り金具は、電線等を収容する収容体の吊下げに用いるものであって、天井側から吊下げられる吊りボルトと、当該吊りボルトに連結されたベースと、収容体を保持する二以上の受け具を備え、それら二以上の受け具がつなぎ部材によって吊下げ方向に多段に連結され、連結された二以上の受け具が前記ベースに連結されて当該ベースの下側に吊下げられたものである。なお、本願において「多段」とは二段以上を意味する。
【０００９】
［収容体設置構造］
本発明の収容体設置構造は、前記吊り金具を用いた収容体の設置構造であって、天井側から吊下げられた複数の吊り金具と、当該複数の吊り金具の受け具に載せられる複数の収容体を備え、収容体が吊り金具に多段に配設され、それら多段に配設された収容体に電線等が収容されたものである。
【発明の効果】
【００１０】
［吊り金具］
本発明の吊り金具は、二以上の収容体を保持することができるため、収容する電線等が多い場合や収容体の幅が狭い場合等でも、所望本数の電線等を確実に配設することができる。また、吊下げ方向下側に吊下げる構造であるため、設置スペースが限られた現場でも設置することができる。
【００１１】
［収容体設置構造］
本発明の収容体設置構造は、受け具を吊下げ方向下側に吊下げた構造であるため、設置スペースが限られた現場でも収容体を設置することができる。
【図面の簡単な説明】
【００１２】
【図１】本発明の吊り金具の使用例の一例を示す斜視図。
【図２】本発明の吊り金具の一例を示す斜視図。
【図３】本発明の吊り金具の詳細説明図。
【図４】つなぎ部材の一例を示す正面図。
【発明を実施するための形態】
【００１３】
（吊り金具の実施形態）
本発明の吊り金具の実施形態の一例を、図面を参照して説明する。本発明の吊り金具は、競技場や商業施設、公共施設といった各種の建築物に、電線等を配設する際に用いるものである（図１参照）。以下では、収容体が金属ダクトＤの場合を一例として説明する。この実施形態で示す金属ダクトＤは長さ４０００ｍｍ程度のものであり、複数本を長手方向に架設し、それらを連結して使用するものである。吊り金具は、金属ダクトＤの長手方向に間隔をあけて複数個設置する。
【００１４】
本発明の吊り金具の一例を図２に、その吊り金具の詳細説明図を図３に示す。図２及び図３において、１はベース、２は受け具、３はつなぎ部材である。図２及び図３に示す吊り金具は、ベース１に二段の受け具２が連結されたものである。受け具２は、各段に少なくとも一本（一段）の金属ダクトＤを載せられるように、吊下げ方向に間隔をあけて連結されている。なお、受け具２は三段以上とすることもできるが、この場合も、各段は前記間隔をあけて連結するのが好ましい。
【００１５】
前記ベース１は、横長方形状の基部１ａと、当該基部１ａの長手方向両端に下向きに折り返された側壁部１ｂを備えた下向きコ字状の金属部材である。ベース１の基部１ａには天井側からの吊下げに用いる吊りボルト４が連結されている。ベース１は吊りボルト４によって、従来と同様の方法で天井側から吊下げることができる。
【００１６】
ベース１の両側壁部１ｂには挿通孔１ｃが開口され、ベース１と受け具２との連結に用いる連結ボルト（連結具）５を挿通できるようにしてある。図３の挿通孔１ｃは、大径孔１ｄとその大径孔１ｄよりも小径の小径孔１ｅを備えている。小径孔１ｅは大径孔１ｄの下側に設けられている。大径孔１ｄと小径孔１ｅは連接されている。連結ボルト５の軸部５ａは、小径孔１ｅに収まるようにしてある。ベース１の形状及び構造は一例であり、これ以外の形状及び構造とすることもできる。
【００１７】
前記受け具２は、金属ダクトＤを載せる横長方形状の載せ部２ａと、当該載せ部２ａの長手方向両端に上向きに折り返された側壁部２ｂを備えた上向きコ字状の金属部材である。両側壁部２ｂの間隔は前記ベース１の側壁部１ｂの間隔よりも広くしてあり、両者を連結したときに、受け具２の両側壁部２ｂがベース１の両側壁部１ｂの外側に位置するようにしてある。受け具２の両側壁部２ｂには挿通孔２ｃが開口され、ベース１との連結に用いる連結ボルト５や、受け具２との連結に用いる係止用ボルト７（係止用連結具）を挿通できるようにしてある。図３の挿通孔２ｃは、大径孔２ｄとその大径孔２ｄよりも小径の小径孔２ｅを備えている。小径孔２ｅは大径孔２ｄの上側に設けられている。大径孔２ｄと小径孔２ｅは連接されている。連結ボルト５の軸部５ａや係止用ボルト７の軸部７ａは、小径孔２ｅに収まるようにしてある。受け具２の形状及び構造は一例であり、これ以外の形状及び構造とすることもできる。
【００１８】
図２及び図３に示すように、ベース１と受け具２は連結ボルト５及びナット６で連結されている。具体的には、ベース１の側壁部１ｂの外側に受け具２の側壁部２ｂがあてがわれ、それら両側壁部１ｂの挿通孔１ｃと両側壁部２の挿通孔２ｅに一本の連結ボルト５が挿通され、当該連結ボルト５のうち挿通方向先方の側壁部２ｂを通過した部分にナット６が螺合されることで、ベース１と受け具２が連結されている。連結された受け具２は連結ボルト５を回転軸として前後方向に回転可能としてある。
【００１９】
前記ベース１に連結された受け具２（説明の便宜上、以下「上段受け具２ｘ」という）には、下段の受け具２（説明の便宜上、以下「下段受け具２ｙ」という）がつなぎ部材３を介して連結されている。具体的には、上段受け具２ｘの下側に、両側壁部２ｂ間に係止用ボルト７が架設された下段受け具２ｙが配置され、両受け具２ｘ、２ｙの外側につなぎ部材３が配置され、当該つなぎ部材３が連結ボルト５の軸部５ａと係止用ボルト７の軸部７ａに係合されることで、両受け具２が連結されている。連結された受け具２は、係止用ボルト７を回転軸として前後方向に回転可能としてある。
【００２０】
一例として図４に示すつなぎ部材３は、薄板状の基体３ａ及び薄板状の回転体３ｂを備えている。基体３ａと回転体３ｂは重ねられ、両者の中心部分が連結ピン８で連結されている。基体３ａと回転体３ｂは、連結ピン８を回転軸として回転することができる。なお、基体３ａと回転体３ｂの回転は相対的なものであり、基体３ａを動かさずに回転体３ｂを回転させる場合、回転体３ｂを動かさずに基体３ａを回転させる場合、基体３ａと回転体３ｂの双方を回転させる場合が含まれる。
【００２１】
図４に示す基体３ａは縦長方形状であり、連結ボルト５の軸部５ａ及び係止用ボルト７の軸部７ａが嵌入可能な二つの凹部３ｃ、３ｄを備えている。図４の上側の凹部３ｃは基体３ａの外周縁のうち、図中右側の側辺に、下側の凹部３ｄは図中左側の側辺に設けられている。上側の凹部３ｃは右側の側辺から幅方向中央に向けて形成された横向き凹部３ｅと、その横向き凹部３ｅから上向きに形成された上向き凹部３ｆを備えたＬ字状であり、下側の凹部３ｄは左側の側辺から幅方向中央に向けて形成された横向き凹部３ｇと、その横向き凹部３ｇから下向きに形成された下向き凹部３ｈを備えたＬ字状である。軸部５ａ及び軸部７ａは、一方（図４では軸部５ａ）が上側の凹部３ｃの上向き凹部３ｆに、他方（図４では軸部７ａ）が下側の凹部３ｄの下向き凹部３ｈに収まる。基体３ａ及び凹部３ｃ、３ｄの形状及び構造は一例であり、これ以外の形状及び構造とすることもできる。なお、図３に示す例では、ベース１及び受け具２の一方の外側に設けるつなぎ部材３と、他方の外側に設けるつなぎ部材３として、左右対称のものを用いている。
【００２２】
図４に示す回転体３ｂは、基体３ａと同様の縦長方形状であり、上向き凹部３ｆに嵌入した軸部５ａ（又は軸部７ａ）を押さえる規制凹部（規制部）３ｉ及び下向き凹部３ｈに嵌入した軸部７ａ（又は軸部５ａ）を押さえる規制凹部（規制部）３ｊを備えている。図４の右側の規制凹部３ｉは回転体３ｂの上側の外周縁に設けられ、左側の規制凹部３ｊは回転体３ｂの下側の外周縁に設けられている。この実施形態では、両規制凹部３ｉ、３ｊを回転体３ｂの外周縁から長方形状に窪んだ形状としてある。回転体３ｂ及び両規制凹部３ｉ、３ｊの形状及び構造は一例であり、これ以外の形状及び構造とすることもできる。
【００２３】
前記つなぎ部材３は、受け具２を上下方向に連結可能なものである限り、これ以外の構造とすることもできる。
【００２４】
（吊り金具のその他の実施形態）
前記実施形態では、双方の金属ダクトＤを上向きに載せる場合を一例としているが、金属ダクトＤは双方を下向きにして載せることも、いずれか一方を上向きに、他方を下向きにして載せることもできる。
【００２５】
前記実施形態では説明を省略しているが、本発明の吊り金具に載せた金属ダクトＤには、照明器具等の電線等以外のものを設置することもできる。照明器具は、上向きに載せた金属ダクトＤの底面側に取り付けることも、下向きに載せた金属ダクトＤ内に収容することもできる。
【００２６】
（吊り金具の使用例）
本発明の吊り金具の使用例を、図１を参照して説明する。ここでは、図２に示す吊り金具を用いる場合を一例として説明する。
（１）図１に示すように、複数の吊り金具を所定間隔をあけて天井側から吊下げる。
（２）吊下げられた複数の吊り金具２の下段の受け具２ｙに金属ダクトＤを載せ、当該下段の受け具２ｙに電線等を収容する。
（３）吊下げられた複数の吊り金具２の上段の受け具２ｘに金属ダクトＤを載せ、当該上段の受け具２ｘに電線等を収容する。
【００２７】
前記の手順はあくまでも一例であり、金属ダクトＤは、これ以外の手順で吊下げることもできる。例えば、上段の受け具２ｘに金属ダクトＤを載せる作業（前記（３））を、下段の受け具２ｙに金属ダクトＤを載せる作業（前記（２））に先んじて行うこともできるし、複数の吊り金具を、所定間隔をあけて天井側から吊下げる（前記（１））前に、前記（２）（３）の作業を行うこともできる。
【００２８】
（収容体設置構造の実施形態）
本発明の収容体設置構造の一例を、図面を参照して説明する。図１に示すように、本発明の収容体設置構造は、天井側から吊下げられた複数の吊り金具の受け具２に、複数の金属ダクトＤが多段に設置され、それら複数の金属ダクトＤに電線等が収容された構造である。この構造において、多段に配置された金属ダクトＤのそれぞれには他の段に収容される電線等とは異なる種類の電線等を収容することができる。また、多段に配置された金属ダクトＤには照明器具を取り付け又は収容することもできる。また、複数の金属ダクトＤは上向きに配置することも下向きに配置することもできる。いずれの場合も、吊り金具は、受け具２で支持する金属ダクトＤが水平又は略水平になるように吊下げる。また、金属ダクトＤの保持に利用される二以上の吊り金具は、受け具２の高さが同じ又は略同じ高さとなるように受け具２の高さを揃えて吊下げる。
【産業上の利用可能性】
【００２９】
本発明の吊り金具及び収容体設置構造は、建築物の種類を問わず、また、屋内に設置されるか屋外に設置されるかを問わず、電線等の配線が必要な各種施設において、広く利用することができる。
【符号の説明】
【００３０】
１    ベース
１ａ  基部
１ｂ  側壁部
１ｃ  挿通孔
１ｄ  大径孔
１ｅ  小径孔
２    受け具
２ａ  載せ部
２ｂ  側壁部
２ｃ  挿通孔
２ｄ  大径孔
２ｅ  小径孔
２ｘ  上段受け具
２ｙ  下段受け具
３    つなぎ部材
３ａ  基体
３ｂ  回転体
３ｃ、３ｄ  凹部
３ｅ  横向き凹部
３ｆ  上向き凹部
３ｇ  横向き凹部
３ｈ  下向き凹部
３ｉ、３ｊ  規制凹部（規制部）
４    吊りボルト
５    連結ボルト（連結具）
５ａ  （連結ボルトの）軸部
６    ナット
７    係止用ボルト（係止用連結具）
７ａ  （係止用ボルトの）軸部
８    連結ピン
Ｄ    金属ダクト（収容体）
【図１】
2019058008.tif 000003
【図２】
2019058008.tif 000004
【図３】
2019058008.tif 000005
【図４】
2019058008.tif 000006